(57)【要約】【課題】快適な暖房感を与える。【解決手段】吹出口２ｃから室内に吹き出される空気の向きを上下に変更する上下風向変更羽根１０を有する空気調和機であって、上下風向変更羽根１０が、吹出口２ｃに互いに平行に配置され、且つ互いに接近または離間可能な第１の羽根１１および第２の羽根１２を備えている。空気調和機は、さらに、室内に存在する人の活動量を検知する活動量検知装置１８と、暖房時、活動量検知装置１８によって検知された人の活動量が大きいほど第２の羽根１２を第１の羽根１１に接近させることにより、第１の羽根１１と第２の羽根１２の間を通過して室内の下部空間に向かう空気の流量を減少させ、第２の羽根１２と当該前記第２の羽根１２と対向する吹出口２ｃの上部壁との間を通過して室内の上部空間に向かう空気の流量を増加させる制御装置とを有する。【選択図】図１
2014035087.tif 000002
【特許請求の範囲】
【請求項１】
吹出口から室内に吹き出される空気の向きを上下に変更する上下風向変更羽根を有する空気調和機であって、
前記上下風向変更羽根が、前記吹出口に互いに平行に配置され、且つ互いに接近または離間可能な第１および第２の羽根を備えており、
前記空気調和機が、
室内に存在する人の活動量を検知する活動量検知装置と、
暖房時、前記活動量検知装置によって検知された人の活動量が大きいほど前記第２の羽根を第１の羽根に接近させることにより、前記第１の羽根と前記第２の羽根の間を通過して室内の下部空間に向かう空気の流量を減少させ、前記第２の羽根と当該前記第２の羽根と対向する前記吹出口の上部壁との間を通過して室内の上部空間に向かう空気の流量を増加させる制御装置とをさらに有する、空気調和機。
【請求項２】
前記活動量検知装置の検知結果に基づく前記制御装置による前記第１の羽根と前記第２の羽根との間隔の変更を実行するか否かをユーザーが選択するためのコントローラをさらに有する、請求項１に記載の空気調和機。
【請求項３】
前記コントローラが、前記第１の羽根と前記第２の羽根との間隔をユーザーが変更できるように構成されている、請求項２に記載の空気調和機。
【発明の詳細な説明】
【技術分野】
【０００１】
本発明は、室内の空調を行うための空気調和機に関する。
【背景技術】
【０００２】
一般家庭で使用される空気調和機においては、通常、室内への騒音及び振動を抑制するために、コンプレッサ等の大きな騒音源、振動源となるものを室外機に配設し、騒音及び振動の少ないファンや熱交換器等を室内機に配設したセパレータ型が用いられている。このように構成された室内機は、室内の壁面等に設置されて、室内が所望の温度となるよう空調動作が行われる。室外機と室内機は、冷媒配管と制御用配線で互いに機械的及び電気的に接続されており、互いに協働して空調動作を行っている。
【０００３】
空気調和機の室内機には、温度調節された空気を室内に吹き出すための吹出口が設けられており、その吹出口には吹き出される空気の向きを変更するための風向変更手段が設けられている。風向変更手段としては、室内における所望の領域に向かって吹出口から吹き出された空気を送り出すために、吹出口から吹き出される空気の流れを上下方向に変更する上下風向変更羽根と、吹出口から吹き出される空気の流れを左右方向に変更する左右風向変更羽根とで構成された風向変更羽根が用いられている。
【０００４】
従来の空気調和機における上下風向変更羽根としては、例えば、空気調和機の運転時には吹出口から突出して、吹出口から吹き出される空気の流れ方向を変更するとともに、空気調和機の停止時には吹出口に収納されるよう構成されたものがある（特許文献１参照。）。特許文献１に開示された上下風向変更羽根の構成は、空気の流れ方向の上流側に配置された第１の羽根と、空気の流れ方向の下流側に配置された第２の羽根とを有しており、第１の羽根と第２の羽根が一体的に回動して互いに近接離間する構成である。特許文献１の上下風向変更羽根においては、第２の羽根に第３の羽根が一体的に形成されており、第３の羽根が第１の羽根と第２の羽根が離間したときの隙間をカバーして、その隙間を空気が通り抜けるのを防止する機能を有している。したがって、特許文献１の上下風向変更羽根は、空気の流れ方向における羽根の長さを変更するために、３枚の羽根を用いて実質的に１枚の羽根が伸縮して空気が一方向に流れるよう構成したものである。
【先行技術文献】
【特許文献】
【０００５】
【特許文献１】特開２０１０−６０２２３号公報
【発明の概要】
【発明が解決しようとする課題】
【０００６】
ところで、同一の設定で空気調和機を暖房運転させても、人それぞれに得る暖房感が異なる。特に、活動中の人と安静中の人とでは得る暖房感は大きく異なる。
【０００７】
そこで、本発明は、上下風向変更羽根を有する空気調和機により、例えば活動中の人であっても、また例えば安静中の人であっても、室内に存在する人に快適な暖房感を与えることを課題とする。
【課題を解決するための手段】
【０００８】
前記課題を達成するために、本発明の一態様によれば、
吹出口から室内に吹き出される空気の向きを上下に変更する上下風向変更羽根を有する空気調和機であって、
前記上下風向変更羽根が、前記吹出口に互いに平行に配置され、且つ互いに接近または離間可能な第１および第２の羽根を備えており、
前記空気調和機が、
室内に存在する人の活動量を検知する活動量検知装置と、
暖房時、前記活動量検知装置によって検知された人の活動量が大きいほど前記第２の羽根を第１の羽根に接近させることにより、前記第１の羽根と前記第２の羽根の間を通過して室内の下部空間に向かう空気の流量を減少させ、前記第２の羽根と当該前記第２の羽根と対向する前記吹出口の上部壁との間を通過して室内の上部空間に向かう空気の流量を増加させる制御装置とをさらに有する、空気調和機が提供される。
【発明の効果】
【０００９】
本発明によれば、室内に存在する人に快適な暖房感を与えることができる。
【図面の簡単な説明】
【００１０】
【図１】本発明に係る一実施の形態の空気調和機における室内機の概略構成を示す側面断面図
【図２】空気調和機における空調運転時の各状態を示す側面断面図
【図３】空気調和機における室内機の全体概略構成を一部破断して示す斜視図
【図４】空気調和機における上下風向変更羽根の構成を示す概略図
【図５】空気調和機における下羽根駆動軸（第１の羽根駆動軸）を回動したときの下羽根と上羽根との回動動作を示す図
【図６】空気調和機における上羽根駆動軸（第２の羽根駆動軸）のみを回動したときの下羽根と上羽根との離接動作を示す図
【図７】空気調和機における下羽根（第１の羽根）と上羽根（第２の羽根）を含む上下風向変更羽根等を示す分解斜視図
【図８】空気調和機における暖房時の上下風向変更羽根の具体的な回動動作及び離接動作の例を示す図
【図９】空気調和機における冷房時の上下風向変更羽根の具体的な回動動作及び離接動作の例を示す図
【図１０】空気調和機における室内機による気流（温風）の流れ（一方向）を示す説明図
【図１１】空気調和機における室内機による気流（温風）の流れ（二方向）を示す説明図
【図１２】空気調和機における室内機による気流（温風）の流れ（二方向）を示す説明図
【図１３】空気調和機における室内機による気流（冷風）の流れ（一方向）を示す説明図
【図１４】空気調和機における室内機による気流（冷風）の流れ（二方向）を示す説明図
【図１５】空気調和機における室内機による気流（冷風）の流れ（二方向）を示す説明図
【発明を実施するための形態】
【００１１】
本発明の空気調和機は、吹出口から室内に吹き出される空気の向きを上下に変更する上下風向変更羽根を有する空気調和機であって、前記上下風向変更羽根が、前記吹出口に互いに平行に配置され、且つ互いに接近または離間可能な第１および第２の羽根を備えており、室内に存在する人の活動量を検知する活動量検知装置と、暖房時、前記活動量検知装置によって検知された人の活動量が大きいほど前記第２の羽根を第１の羽根に接近させることにより、前記第１の羽根と前記第２の羽根の間を通過して室内の下部空間に向かう空気の流量を減少させ、前記第２の羽根と当該前記第２の羽根と対向する前記吹出口の上部壁との間を通過して室内の上部空間に向かう空気の流量を増加させる制御装置とをさらに有する。
【００１２】
このような構成であれば、例えば活動中の人であっても、また例えば安静中の人であっても、室内に存在する人に快適な暖房感を与えることができる。
【００１３】
前記空気調和機は、前記活動量検知装置の検知結果に基づく前記制御装置による前記第１の羽根と前記第２の羽根との間隔の変更を実行するか否かをユーザーが選択するためのコントローラをさらに有してもよい。これにより、ユーザーは、上下風向変更羽根を所望の状態で停止させることができ、その結果、所望の暖房感を得ることができる。
【００１４】
前記コントローラが、前記第１の羽根と前記第２の羽根との間隔をユーザーが変更できるように構成されてもよい。これにより、ユーザーは、上下風向変更羽根の第１の羽根と第２の羽根との間隔を所望の間隔にすることができ、その結果、所望の暖房感を得ることができる。
【００１５】
以下、本発明の空気調和機に係る実施の形態について、添付の図面を参照しながら説明する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００１６】
本発明の一実施の形態の空気調和機は、室内機と室外機が冷媒配管及び制御配線等により互いに接続されたセパレート型の空気調和機である。室内機と室外機によりヒートポンプが構成されており、室外機にはコンプレッサが設けられている。本実施の形態の空気調和機における室内機は、室内の壁面に取り付ける壁掛け式室内機である。
【００１７】
図１は、本実施の形態の空気調和機における室内機の概略構成を示す側面断面図である。図１に示すように、室内機１は、空気取り入れ口となる前面開口部２ａと上面開口部２ｂとを持つ本体２、及び本体２の前面開口部２ａを開閉する可動式の前面パネル３とを備えている。また、本体２の下方側には、熱交換された空気を吹き出す吹出口２ｃが配設されている。なお、図１は本実施の形態の空気調和機における空調運転停止時の状態を示している。
【００１８】
図２の（ａ）及び（ｂ）は、本実施の形態の空気調和機における空調運転時の各状態を示す側面断面図であり、図２の（ａ）及び（ｂ）においては内部構成を省略している。図２において、（ａ）は冷房運転時の一状態を示しており、（ｂ）は暖房運転時の一状態を示している。本実施の形態における、冷房運転時と暖房運転時における詳細な空調動作については後述する。
【００１９】
図１に示すように、本実施の形態の空気調和機の空調運転停止時においては、前面パネル３が、本体２に密着して前面開口部２ａを閉じるように構成されている。一方、空気調和機の空調運転時においては、図２の（ａ）及び（ｂ）に示すように、前面パネル３が、本体２から離れる方向に所定距離だけ移動して前面開口部２ａを開放するように構成されている。
【００２０】
図１に示すように、本体２の内部には、熱交換器４と、前面開口部２ａ及び上面開口部２ｂからフィルタ６を通して取り入れた室内空気を熱交換器４で熱交換して室内に吹き出すためのファン５とが設けられている。前面開口部２ａ及び上面開口部２ｂと熱交換機６との間に設けられたフィルタ６は、前面開口部２ａ及び上面開口部２ｂから取り入られた室内空気に含まれる塵埃を除去するために設けられている。
【００２１】
本実施の形態の空気調和機において熱交換した空気を室内に吹き出すための吹出口２ｃには、当該吹出口２ｃを開閉するとともに、空気の吹き出し方向を上下方向に変更することができる上下風向変更羽根１０が設けられている。さらに、吹出口２ｃの内部には空気の吹き出し方向を左右に変更することができる左右風向変更羽根９が設けられている。
【００２２】
上下風向変更羽根１０は、第１の羽根の一例である下羽根１１と、この下羽根１１の上方に設けられた第２の羽根の一例である上羽根１２とを備えている。上下風向変更羽根１０は、下羽根１１と上羽根１２とが協働して、吹出口２ｃから吹き出される空気の吹き出し方向を制御するように構成されている。下羽根１１は、下羽根駆動軸１３に固定されており、下羽根駆動軸１３の回動動作により、下羽根駆動軸１３を中心として回動するよう設けられている。上羽根１２は、後述するリンクアーム（主アーム１４、従アーム１５）の機能によって下羽根１１と略平行に保持された状態で下羽根１１に対して近接・離間動作するように構成されている。
【００２３】
左右風向変更羽根９は、例えば、室内機１の正面から見て左側に位置する一組の羽根と、右側に位置する一組の羽根とで構成されている。各一組の羽根は、複数枚（例えば、５枚）の羽根で構成されている。また、各一組の羽根は、それぞれが別々の駆動源（例えば、駆動モータ）１６に連結されており、それぞれの駆動源１６により独立して制御される。
【００２４】
空気調和機が空調運転を開始すると、上下風向変更羽根１０が開動作を行い吹出口２ｃが開放される。このように吹出口２ｃが開放された状態でファン５が駆動されて、室内空気が前面開口部２ａ及び上面開口部２ｂを通して室内機１の内部に取り入れられる。取り入れられた室内空気は、フィルタ６を通り、熱交換器４において熱交換されて、ファン５に吸い込まれる。ファン５に吸い込まれた熱交換された空気は、ファン５の下流側に形成された通風路１７を通り、吹出口２ｃより吹き出される。
【００２５】
ファン５の下流側に形成されている、吹出口２ｃとその上流側に配置される通風路１７は、ファン５の下流側に配置されて空気の流れを案内するリアガイダ７と、このリアガイダ７に対向するスタビライザ８と、本体２の両側壁（図示せず）とで形成されている。
【００２６】
吹出口２ｃからの空気の吹き出し方向は、上下風向変更羽根１０及び左右風向変更羽根９により制御される。上下風向変更羽根１０及び左右風向変更羽根９の角度調整等の動作は、室内機１を制御する制御装置（図示せず）により制御される。
【００２７】
なお、本実施の形態におけるスタビライザ８は、ファン５の下流近傍に配設され、ファン５の排出部付近に発生する渦を安定化させるスタビライザ機能を有する壁部分と、このスタビライザ機能を有する壁部分の下流側に配設され、ファン５により搬送された空気の圧力回復を担うディフューザー機能を有する壁部分とを含み、通風路１７における吹出口２ｃに至る上側の壁部分を示している。
【００２８】
図３は、本実施の形態の空気調和機における室内機１の全体概略構成を示す斜視図であり、室内機１の一部を破断して人感センサユニットを示している。本実施の形態における室内機１には、前面パネル３に人の活動量を検知する活動量検知装置の一例として人感センサユニット１８が設けられている。ここで、「人の活動量」とは、人の動きの度合いを示す概念であり、例えば、「活動量安静」、「活動量大」、「活動量中」、「活動量小」などの複数の活動量レベルに分類されるものである。「活動量安静」とは、例えば、ソファでくつろいでいるときのようなほとんど活動がない場合をいう。「活動量大」とは、掃除しているときのように広い領域で大きく頻繁に活動している場合をいう。「活動量中」とは、炊事などの狭い領域で活動している場合をいう。「活動量小」とは、食事をしているときのような多少活動している場合をいう。人感センサユニット１８は、例えば人体から放射される赤外線を検知することにより人の在否を検知する赤外線センサにより構成されており、赤外線センサが検知する赤外線量の変化に対応するパルス信号に基づいて人の在否が判定される構成である。なお、人感センサユニット１８の具体的な構成としては、特に限定されるものではないが、例えば、特開２００８−２１５７６４号公報に開示された人感センサユニットを使用することができる。
【００２９】
次に、上下風向変更羽根１０の構成について、さらに詳しく説明する。図４は、上下風向変更羽根１０の構成を示す概略図である。
【００３０】
上下風向変更羽根１０は、前述したように、下羽根１１と上羽根１２とを有し、下羽根１１と上羽根１２は、吹出口２ｃの近傍において連動して回動し、一体化した一枚羽根による気流ガイド動作、若しくは二枚羽根による気流ガイド動作を行うよう構成されている。１枚羽根状態の上下風向変更羽根１０において、吹出口２ｃから吹き出される空気の上流側となる下羽根１１は、内部が空洞の樹脂材で構成されており、剛性を有すると共に、断熱構成、軽量構成及び結露の発生を防止する構成を有している。一方、吹出口２ｃから吹き出される空気の下流側となる上羽根１２は、１枚の板材を加工して形成されており、剛性を有すると共に軽量化が図られている。
【００３１】
下羽根１１と上羽根１２とは、略平行な状態を維持するようにリンク機構により連結されている。本実施の形態においては、下羽根１１と上羽根１２とは、主アーム１４と従アーム１５により構成された一対のリンクアームにより、互いの距離が離接するよう連結されている。したがって、下羽根１１と上羽根１２と主アーム１４と従アーム１５とにより、４節リンク機構が構成されている。主アーム１４と従アーム１５は、上下風向変更羽根１０における気流の流れ方向において所定距離だけ離れた位置に設けられており、主アーム１４と従アーム１５により生じる気流の乱れを可能な限り少なくなるよう構成されている。
【００３２】
なお、「略平行な状態」とは、下羽根１１と上羽根１２とが完全に平行な状態のみならず、巨視的に見て概ね平行な状態も含むことを意味する。下羽根１１及び上羽根１２としては、直線形状や同一の厚さを有するものだけでなく、湾曲形状や、段差部を有する形状のものを使用することができるからである。
【００３３】
下羽根１１は、下羽根駆動軸１３に固定されており、下羽根駆動軸１３により回動するよう構成されている。下羽根駆動軸１３は、吹出口２ｃの壁側の下端部２ｄ（図４参照）の縁に沿ってその近傍に配設されており、本体２に設けられた下羽根駆動源（図示省略）により回動可能に構成されている。下羽根駆動源については後述する。
【００３４】
主アーム１４は、下羽根駆動軸１３と同軸上に配置された上羽根駆動軸１９により所定角度だけ回動するよう構成されている。上羽根駆動軸１９は、本体２に設けられた上羽根駆動源（図示省略）により回動するよう構成されている。上羽根駆動源については後述する。
【００３５】
上記のように構成された上下風向変更羽根１０においては、下羽根駆動軸１３が下羽根駆動源により回動したとき、下羽根１１と上羽根１２との位置関係が保持された状態で下羽根が回動するよう構成されている。また、上羽根駆動軸１９が上羽根駆動源により回動したとき、主アーム１４が回動して、上羽根１２が下羽根１１に対して離接動作（接近動作または離間動作）を行う。
【００３６】
図５は下羽根駆動軸１３を回動したときの下羽根１１と上羽根１２との回動動作を示す図である。図６は上羽根駆動軸１９のみを回動したときの下羽根１１と上羽根１２との離接動作を示す図である。
【００３７】
図５に示すように、下羽根駆動軸１３を回動したときには、下羽根１１と上羽根１２は同じ距離を保持した状態（間隔を一定に維持した状態）で上下風向変更羽根１０の全体が回動動作を行う。一方、図６に示すように、上羽根駆動軸１９を回動したときには、下羽根１１の位置が保持された状態で、上羽根１２が下羽根１１に対して略平行な状態を維持しつつ、離接動作を行う。
【００３８】
図７は、下羽根１１と上羽根１２を含む上下風向変更羽根１０等の構成を示す分解斜視図である。図７に示すように、下羽根１１の両側には羽根駆動源となるギアユニット２０，２１が設けられている。図７において、下羽根１１の右側に配設された第１のギアユニット２０は、下羽根駆動軸１３を回動する下羽根駆動源である。一方、下羽根１１の左側に配設された第２のギアユニット２１は、上羽根駆動軸１９を回動する上羽根駆動源である。空気調和機の制御装置（図示せず）が、この第１のギアユニット２０および第２のギアユニット２１を制御することにより、上下風向変更羽根１０を制御する、すなわち下羽根駆動軸１３と上羽根駆動軸１９とを介して下羽根１１と上羽根１２とを制御する。
【００３９】
本実施の形態においては、４節リンク機構を構成する主アーム１４及び従アーム１５の対は、上下風向変更羽根１０における両側と中央の３箇所に設けられている。各主アーム１４の一端部分に形成された貫通孔は、上羽根駆動軸１９により貫通されて係合しており、上羽根駆動軸１９の回動に応じて所定角度だけ駆動可能に構成されている。各主アーム１４の他端部分は、上羽根１２の対応する所定位置に回動可能に軸支されている。また、各従アーム１５の両端部分は、下羽根１１と上羽根１２における対応する所定位置に回動可能に軸支されている。
【００４０】
４節リンク機構を構成する主アーム１４と従アーム１５は、一枚羽根状態において、下羽根１１に形成された凹部の内部に収納されるよう構成されている。また、一枚羽根状態において、主アーム１４と従アーム１５は、実質的に１直線上の一列状態に配置されるように、軸支位置が設定されており、下羽根１１の凹部内部に直線状に収納される構成である。
【００４１】
本実施の形態の空気調和機においては、空気調和機の制御装置（図示せず）が上下風向変更羽根１０を制御することにより、下羽根１１と上羽根１２は同じ距離を保持した状態で回動動作を行い、及び／又は、上羽根１２と下羽根１１が離接動作を行う。このように制御される上下風向変更羽根１０により、吹出口２ｃから吹き出される空気を実質的に一方向、若しくは二方向（例えば、上部空間の方向と下部空間の方向）に向かう気流に分配することが可能となる。
【００４２】
図５に示したように、下羽根１１と上羽根１２は同じ距離を保持した状態で上下風向変更羽根１０の全体が回動動作を行うことにより、下羽根１１と上羽根１２との間の空間を通って流れる主流の方向を上下方向に変更することができる。このとき、上羽根１２と吹出口２ｃの上部壁（すなわちスタビライザ８）との間を通過する空気の流れる方向は上部空間の方向である。
【００４３】
また、図６に示したように、下羽根１１の位置が保持された状態で、上羽根１２が下羽根１１に対して略平行な状態を維持しつつ離接動作を行うことにより、吹出口２ｃから吹き出される空気を実質的に一方向、若しくは二方向（例えば、上部空間の方向と下部空間の方向）に向かう気流に分配すると共に、その風量を変更することが可能となる。例えば、上羽根１２が下羽根１１に接近することにより、下羽根１１と上羽根１２との間隔が小さくなり、上羽根１２とスタビライザ８（吹出口２ｃの上部壁）との間隔が大きくなる。これにより、下羽根１１と上羽根１２との間を通過して室内の下部空間に向かう空気の流量が小さくなり、上羽根１２とスタビライザ８との間を通過して室内の上部空間に向かう空気の流量が大きくなる。
【００４４】
このように、上記のように構成された本実施の形態の空気調和機によれば、室内の上部空間へ吹き出す風量と、下部空間へ吹き出す風量との割合を自在に変動させることが可能となり、快適な空調空間を実現することができる。
【００４５】
なお、図２の（ａ）に示すように、下羽根１２と上羽根１１との間隔がゼロのとき、すなわち、上下風向変更羽根１０が下羽根１１の上流側部分に上羽根１２の下流側部分が重なる１枚羽根状態のとき、空気の流れ方向における上下風向変更羽根１０の長さが最大になる。その結果、吹出口２ｃから吹き出された空気をより遠くまで供給することができる。
【００４６】
ここからは、暖房時および冷房時の上下風向変更羽根１０の動作について説明する。
【００４７】
図８は、暖房時の上下風向変更羽根１０（下羽根１１，上羽根１２）の具体的な回動動作及び離接動作の例を示す図である。図８においては、主アーム１４及び従アーム１５等は省略して、下羽根１１及び上羽根１２を図示している、図９は、冷房時の上下風向変更羽根１０（下羽根１１，上羽根１２）の具体的な回動動作及び離接動作の例を示す図である。図８及び図９は、本実施の形態の空気調和機の「通常」、「強」又は「弱」の動作レベルそれぞれについて、人の活動量レベルとして「活動量大」、「活動量中」又は「活動量安静」を人感センサユニット１８が検知したときにおける上下風向変更羽根１０の動作を示している。
【００４８】
なお、空気調和機の動作レベルは、ユーザーによって設定される。例えば、空気調和機を操作するコントローラ（リモートコントローラ）に、空気調和機の動作レベルを選択するためのボタンが設けられている。
【００４９】
暖房時においては、ユーザーの足元の温度が高いことがユーザーにとって快適であると考えられている。このため、暖房時においては、図２の（ｂ）及び図８に示すように、下羽根１１と上羽根１２が相互に平行する状態を維持しつつ、且つ上下風向変更羽根１０が下向き（または斜め下向き）になるように（すなわち下羽根１１と上羽根１２との間を通過する空気の主流方向が下向きになるように）、第１のギアユニット２０及び第２のギアユニット２１を介して上下風向変更羽根１０を制御することが好ましい。
【００５０】
暖房時において室内機１の内部で温められた空気（温風）は、吹出口２ｃから上方に浮き上がろうとするが、下羽根１１と上羽根１２が相互に平行する状態を維持しつつ、且つ上下風向変更羽根１０が下向き（または斜め下向き）になるように制御されることにより、吹出口２ｃから吹き出される多くの空気の流れ方向を下向き（または斜め下向き）にすることができる。その結果、図１０〜１２に示すように、室内機１の吹出口２ｃから吹き出された空気（温風）を床面に向けて供給することができ、ユーザーの足元の温度を高くすることが可能となる。
【００５１】
また、暖房時において、活動量が大きい時は足元だけでなく、室内全体を、温風を天井面及び床面を含む室内の壁面全体に循環させることにより、温めることが好ましい。このため、図８に示すように、本実施の形態の空気調和機においては、上下風向変更羽根１０を２枚羽根状態にした状態で下向き（斜め下向き）にすることにより、室内の上部空間および下部空間に向かう二方向に空気が吹き出されるようにしている、これにより、本実施の形態の空気調和機においては、図１１又は図１２に示すように、室内機１の吹出口２ｃから吹き出される空気（温風）をユーザーの頭上に向う方向とユーザーの足元に向かう方向の二方向に分配することができ、室内を効率良く温めて、省エネルギー性能の高い暖房器具を実現することができる。
【００５２】
また、暖房時においては、図８に示すように、下羽根１１を斜め下向きに固定した状態で、上羽根駆動軸１９を介して主アーム１４を回動させることにより、下羽根１１と上羽根１２との間隔を変更する制御を制御装置は行っている。
【００５３】
具体的には、暖房時において、下羽根１１と上羽根１２との間隔が、図８に示すように、活動量検知装置である人感センサユニット１８によって検知された人の活動量に基づいて、空気調和機の制御装置（図示せず）によって変更される。
【００５４】
例えば、空気調和機が「通常」の動作レベルの暖房運転を実行している場合（ユーザーが「通常」の動作レベルの暖房運転を選択している場合）、空気調和機の制御装置は、人感センサユニット１８によって検知される人の活動量（活動量レベル）が大きいほど、上羽根１２を下羽根１１に接近させ、下羽根１１と上羽根１２との間隔を小さくする。
【００５５】
これにより、例えば、活動中の人、すなわち活動量が大きく体が暖まっている人（活動量大」の人）の足元に大量の温風が当たることが抑制される。具体的に説明すると、下羽根１１を斜め下向きに固定した状態で下羽根１１と上羽根１２との間隔を小さくすると、下羽根１１と上羽１２との間を通過して室内の下部空間に向かう空気の流量（温風の風量）が減少し、上羽根１２とスタビライザ８と間を通過して室内の上部空間に向かう空気の流量（温風の風量）が増加する。したがって、図１２に示すように、室内の下部空間に存在する活動中の人（「活動量大」の人）が、その足元に大量の温風が当たって過剰に暑さを感じることが抑制される。なお、図１１は、「活動量中」のときを示している。
【００５６】
一方、下羽根１１を斜め下向きに固定した状態で下羽根１１と上羽根１２との間の平行方向の距離を大きくすると、室内の下部空間に向かう温風の風量が増加し、室内の上部空間に向かう温風の風量が減少する。これにより、図１０に示すように、例えば、安静中の人、すなわち活動量が小さく体が冷えている人（「活動量小」の人）の足元が大量の温風によって暖まることができる。
【００５７】
このように、室内に存在する人は、その活動量に応じて、快適な暖房感を得ることができる。
【００５８】
なお、空気調和機が「強」の動作レベルの暖房運転を実行している場合、すなわち、ユーザーが「強」の動作レベルの暖房運転を選択している場合、図８に示すように、空気調和機の制御装置は、人感センサユニット１８によって検知される人の活動量に関係なく、下羽根１１を斜め下向きに固定した状態で下羽根１１と上羽根１２との間の平行方向の距離を相対的に大きい状態（例えば最大の状態）に維持する。一方、ユーザーが「弱」レベルの暖房運転を選択している場合、人感センサユニット１８によって検知される人の活動量に関係なく、下羽根１１を斜め下向きに固定した状態で下羽根１１と上羽根１２との間の平行方向の距離を相対的に小さい状態に維持する。これにより、室内に存在する人は所望の暖房感を得ることができる。
【００５９】
一方、冷房時においては、例えばユーザーが「通常」の動作レベルの冷房運転を選択している場合、人感センサユニット１８によって検知される人の活動量レベルが大きいと、空気調和機の制御装置（図示せず）は、下羽根駆動軸１３を介して下羽根１１を斜め下向きに配置すると共に、上羽根駆動軸１９を介して上羽根１２が下羽根１１から所定距離離れた状態にする。一方、人感センサユニット１８によって活動量レベルとして「活動量安静」が検知されている場合、制御装置は、下羽根駆動軸１３を介して下羽根１１を略水平方向に配置すると共に、上羽根１２を下羽根１１に載置する、すなわち上下風向変更羽根１０を１枚羽根状態にする。
【００６０】
人感センサユニット１８によって「活動量大」または「活動量中」が検知される場合、室内に存在する人は、活動量が大きいために暑く、室内機１から吹き出される冷風が直接あたることを望んでいると考えられる。したがって、下羽根１１を斜め下向きに配置すると共に、上羽根１２を下羽根１１から離間した状態にする。これにより、図１４又は図１５に示すように、室内機１の吹出口２ｃから吹き出される空気（冷風）の一部が、ユーザーの頭上に向う方向に吹き出されるとともに、ユーザーに向かって吹き出される。なお、図１４が「活動量大」のときを示し、図１５が「活動量中」のときを示している。
【００６１】
一方、「活動量安静」が検知される場合、すなわち安静中の人が存在する場合、室内の上部空間と下部空間との温度差をなくし、且つ図１３に示すように冷風を体に直接当てないように調整することが安静中の人にとって快適であると考えられている。したがって、「活動量安静」の状況においては、図２の（ａ）に示すように、上下風向変更羽根１０を一枚羽根状態で略水平方向に配置することが好ましい。
【００６２】
冷房時において、室内機１の内部で冷やされた空気（冷風）は、暖かい空気より重いために吹出口２ｃから床面に向けて下降する。しかし、上下風向変更羽根１０を一枚羽根状態で略水平方向に配置することによって上下風向変更羽根１０の長さ（空気が流れ方向の長さ）を長くすることにより、吹出口２ｃから吹き出された冷たい空気を室内の天井面に沿って遠くへ流すことができる。この結果、図１３に示すように、室内機１の吹出口２ｃから吹き出された空気（冷風）を天井面に沿って室内機１が設置された壁面に対向する壁面まで供給することが可能となる。その結果、室内の上部空間と下部空間の温度をより均一にすることができるとともに、安静中の人に冷風が直接当たらない空調を実現することができる。
【００６３】
なお、ユーザーが「強」の動作レベルの冷房運転を選択している場合、図９に示すように、空気調和機の制御装置（図示せず）人感センサユニット１８によって検知されるユーザーの活動量に関係なく、羽根１１を斜め下向きに配置すると共に、上羽根１２を下羽根１１から離間した状態にする。一方、ユーザーが「弱」レベルの冷房運転を選択している場合、人感センサユニット１８によって検知される人の活動量に関係なく、下風向変更羽根１０を一枚羽根状態で略水平方向に配置する。これにより、室内に存在する人は所望の冷房感を得ることができる。
【００６４】
また、前述の図８及び図９に示した上下風向変更羽根１０の動作は、暖房時及び冷房時における一例の動作であり、これらに上下風向変更羽根１０の動作は限定されない。例えば、上下風向変更羽根１０を一枚羽根状態とする動作は、冷房時に限定されものではなく、状況に応じて暖房時においても使用可能である。また、下羽根１１と上羽根１２が所定距離を有して平行状態（二枚羽根状態）される動作も、状況に応じて実行されるものである。
【００６５】
これに関連して、人感センサユニット１８の検知結果に基づく制御装置による上下風向変更羽根１０の制御、すなわち上下風向変更羽根１０の自動制御を実行するか否かをユーザーがコントローラを介して選択できるように空気調和機を構成してもよい。例えば、上下風向変更羽根１０の自動制御を開始するまたは停止する「自動運転開始／停止ボタン」を、空気調和機を操作するコントローラ（リモートコントローラ）が備える。例えば、リモートコントローラの「自動運転開始／停止ボタン」が押されると、人感センサユニット１８の検知結果に基づく制御装置による下羽根１１と上羽根１２との間隔の変更や上下風向羽根１０の向き（すなわち下羽根１１と上羽根１２との間の空間を通って流れる主流の方向）の変更が停止される。これにより、ユーザーは、所定のタイミングで上下風向変更羽根１０の自動制御を停止することにより、所望の状態で上下風向変更羽根１０を停止させることができる。例えば、ユーザーに向かって快適な温風が吹き出されている状態で上下風向変更羽根１０を停止させることができる。その結果、ユーザーは、所望の暖房感を得ることができる。
【００６６】
また、空気調和機を操作するコントローラ（リモートコントローラ）によって第１の羽根と第２の羽根との間隔をユーザーが変更できるようにしてもよい。例えば、コントローラが、下羽根１１と上羽根１２との間隔を変更するためのボタンを備える。これにより、ユーザーは下羽根１１と上羽根１２の間隔を所望に調整することができる。これにより、ユーザーは所望の暖房感を得ることができる。
【００６７】
本実施の形態によれば、例えば活動中の人であっても、また例えば安静中の人であっても、室内に存在する人に快適な暖房感を与えることができる。
【００６８】
なお、本発明の空気調和機としては、前述の実施の形態の構成に限定されるものではなく、前述の実施施の形態の構成で示した本発明の技術的思想は、その他種々の態様で実施可能である。例えば、前述の実施の形態の空気調和機は、暖房と冷房を兼用する空気調和機であるが、暖房機又は冷房機それぞれの専用機であっても適用可能である。また、前述の実施の形態においては室内機と室外機が別体のセパレート型であるが、圧縮機、凝縮機及び蒸発機等が一体となった一体型空気調和機に対しても適用可能である。また、本発明においては、室内機として壁掛け式に特定されるものではなく、床置き式等においても、空気の吹出口における上下風向変更羽根を同様の技術的思想により変形して風向調整することが可能である。
【産業上の利用可能性】
【００６９】
本発明の空気調和機は、吹出口からの空気を所望の領域に到達するように吹き出すことが可能となり、且つ吹出口からの空気に対して高い整流効果を発揮することができるため、業務用及び一般家庭等で使用される空気調和機として有用である。
【符号の説明】
【００７０】
１  室内機
２  本体
２ａ  前面開口部
２ｂ  上面開口部
２ｃ  吹出口
３  前面パネル
４  熱交換器
５  ファン
６  フィルタ
７  リアガイダ
８  スタビライザ（吹出口の上部壁）
９  左右風向変更羽根
１０  上下風向変更羽根
１１  下羽根（第１の羽根）
１２  上羽根（第２の羽根）
１３  下羽根駆動軸
１４  主アーム
１５  従アーム
１６  左右風向変更羽根の駆動源
１７  通風路
１８  人感センサユニット
１９  上羽根駆動軸
２０  第１のギアユニット
２１  第２のギアユニット
【図１】
2014035087.tif 000003
【図２】
2014035087.tif 000004
【図３】
2014035087.tif 000005
【図４】
2014035087.tif 000006
【図５】
2014035087.tif 000007
【図６】
2014035087.tif 000008
【図７】
2014035087.tif 000009
【図８】
2014035087.tif 000010
【図９】
2014035087.tif 000011
【図１０】
2014035087.tif 000012
【図１１】
2014035087.tif 000013
【図１２】
2014035087.tif 000014
【図１３】
2014035087.tif 000015
【図１４】
2014035087.tif 000016
【図１５】
2014035087.tif 000017